(57)【特許請求の範囲】
【請求項１】
洗浄水流路に設置する少なくとも１対の電極と、該電極に電気を印加する電気印加制御装置とを有し、前記少なくとも１対の電極を、既設の手動洗浄装置の止水栓取付部の内部、既設の手動洗浄装置の主弁体部内部、既設の手動洗浄装置の押しボタン取付部の内部、既設の手動洗浄装置の洗浄水導管取付部または既設の手動洗浄装置の洗浄水導管部に配設することを特徴とする尿石抑制装置。
【発明の詳細な説明】
【０００１】
【発明の属する技術分野】
本発明は便器洗浄装置に取り付ける、尿石抑制装置に関する。
【０００２】
【従来の技術】
従来、尿石抑制装置に関しては、特開平５−３０２３４７号に見られるように、薬剤供給機構と便器洗浄水供給機構とを分離して設ける装置がある。
同公報に見られるものを詳述すると、以下の通りである。便器用洗浄水供給管を流れる洗浄水を分取し、水移送管を介して外函に供給する。この水の供給は、フロート誘導枠内を浮揚したフロートが連通孔を閉塞することにより停止される。供給された水により薬剤容器に内包される薬剤が水中に浸出する。そして、便器用洗浄水供給管内を流れる水が停止すると、外函の薬剤含有水は再び水移送管を介して便器用洗浄水供給管に逆流し、便器内に供給される。
【０００３】
また、別の尿石抑制装置に関しては、上水を電気分解し、上水中に含まれている次亜塩素酸の濃度を上げ、バクテリアの活動が活発になる時間帯に殺菌を行う商品が市販されている。
同商品について詳述すると、以下の通りである。水道等の塩素イオン含有水の供給源に接続された給水管から、各便器毎に分岐する洗浄用配管とは別に、電解用分岐管を分岐させる。この電解用分岐管に、少なくとも１対の電極と、電極間に形成された流路とを有する連続式電気分解槽を設ける。この電極間に電圧を印可することにより連続式電気分解槽に導入された洗浄水を電気分解する。これにより、強い殺菌力を有する次亜塩素酸が生成し、これを貯留タンクに溜めておく。この次亜塩素酸を含有する殺菌水を、適宜タイミングでポンプにより便器に供給する。
【０００４】
【発明が解決しようとする課題】
１つ目の従来例の薬剤を用いた装置は、薬剤の消費を補うため、その都度装置を分解して薬剤を補給する作業が発生し、作業そのものの煩雑さとともに薬剤の補給にかかるランニングコストが多大なものになる。
また、補給作業のため露出部が必要であること、さらに薬剤供給装置の便器洗浄水供給機構の下流側に接続する必要があることより、その設置場所は非常に制限が多い。さらに薬剤を侵出させる洗浄水を溜めるタンク部が必要なため、設置に必要なスペースも多くなる。
【０００５】
また、２つめの従来例の上水を電気分解し、上水中に含まれている次亜塩素酸の濃度を上げる装置は、薬剤を用いた装置に比べ、メンテナンスが不要でランニングコストがかからず優れた装置である。しかし、設置時に貯留タンクや供給ポンプおよびその制御装置等の設置が必要なため、設置場所、設置スペースにより、取付けられない場合がある。
また、その装置の大きさのため、既設の便器洗浄装置に対して後付けしようとした場合も、取付けられない場合があるとともに、無理に付けようとすると意匠性を損なう恐れがある。
【０００６】
本発明は、上記課題を解決するためになされたもので、本発明の目的は、メンテナンスが不要でランニングコストがほとんど発生せず、コンパクトで、新設に限らず、既設の便器洗浄装置にも取り付けることできる尿石抑制装置を提供することにある。
【０００７】
【課題を解決するための手段と発明の効果】
上記目的を達成するために請求項１は、洗浄水流路に設置する少なくとも１対の電極と、該電極に電気を印加する電気印加制御装置とを有し、前記少なくとも１対の電極を、既設の手動洗浄装置の止水栓取付部の内部、既設の手動洗浄装置の主弁体部内部、既設の手動洗浄装置の押しボタン取付部の内部、既設の手動洗浄装置の洗浄水導管取付部または既設の手動洗浄装置の洗浄水導管部に配設することを特徴とする。
対の電極と電気印加制御装置によって洗浄水に電荷をかけることで、洗浄水に制菌効果を付加できるため、水道代以外には非常に微量の電気代だけとなり、ランニングコストは非常に少なくなる。また、消費される薬剤がないので、薬剤の貯留タンクやその注入装置の必要がなく、設置のためのスペースをコンパクトにすることができる。さらに、その薬剤の補給作業も必要なくなるため、メンテナンスが不要になり、薬剤価格と共に作業人件費も削減することができる。
【００１４】
上記目的を達成するために請求項２は、前記少なくとも１対の電極を、既設の手動洗浄装置の止水栓取付部の内部に配設することを特徴とする。前記少なくとも１対の電極を、既設の手動洗浄装置の止水栓取付部の内部に配設することを特徴とする。対の電極を止水栓取付部に配設することで既設の手動洗浄装置本体を交換することなく、後付けすることが可能である。また、止水栓取付部のネジ等の固定部を利用することができるため、電極の固定を簡単に行うことができる。
【００１５】
上記目的を達成するために請求項３は、前記少なくとも１対の電極を、既設の手動洗浄装置の主弁体部内部に配設することを特徴とする。対の電極を主弁体部内部に配設することで既設の手動洗浄装置本体を交換することなく、後付けすることが可能である。また、主弁体部上部ふたのネジ等の固定部を利用することができるため、電極の固定を簡単に行うことができる。
【００１６】
上記目的を達成するために請求項４は、前記少なくとも１対の電極を、既設の手動洗浄装置の押しボタン取付部の内部に配設することを特徴とする。対の電極を押しボタン取付部の内部に配設することで既設の手動洗浄装置本体を交換することなく、後付けすることが可能である。また、押しボタン取付部のネジ等の固定部を利用することができるため、電極の固定を簡単に行うことができる。
【００１７】
上記目的を達成するために請求項５は、前記少なくとも１対の電極を、既設の手動洗浄装置の洗浄水導管取付部に配設することを特徴とする。対の電極を洗浄水導管取付部に配設することで既設の手動洗浄装置本体を交換することなく、後付けすることが可能である。また、洗浄水導管取付部のネジ等の固定部を利用することができるため、電極の固定を簡単に行うことができる。
【００１８】
上記目的を達成するために請求項６は、前記少なくとも１対の電極を、既設の手動洗浄装置の洗浄水導管部に配設することを特徴とする。対の電極を洗浄水導管部に配設することで既設の手動洗浄装置本体を交換することなく、後付けすることが可能である。
【００３６】
【発明の実施の形態】
本発明の好ましい実施例を添付図面に基づいて以下に説明する。
図１は本発明による尿石抑制装置１の概略構成図を示す。尿石抑制装置１は、洗浄水流路系の要素群１Ａと電気制御系の要素群１Ｂで構成されている。洗浄水流路系の要素群１Ａは洗浄水の上流側から止水栓２、逆流防止弁３、定流量弁４、電磁開閉弁５、電極ボックス６が直列に配置されている。止水栓２はこれより下流部のメンテナンス時に利用されるもので別途設けることで本発明の尿石除去装置からは省略することもできる。逆流防止弁３より下流側の定流量弁４、電磁開閉弁５、電極ボックス６の接続順はこの限りではなく、順番を入れ替えても良い。
【００３７】
電気制御系の要素群１Ｂは電磁開閉弁5の弁制御装置７とその間を接続する信号線（▲５▼）７Ａ、電極ボックス６の電気印加制御装置８とその間を接続する信号線（▲６▼）８Ａ、弁制御装置７と電気印加制御装置８の双方に動力を送る電源９、使用者の存在を感知する光電センサー１０と弁制御装置７にその信号を伝える信号線（▲３▼）１０Ａ、弁制御装置と電気印加制御装置との間を接続する信号線（▲４▼）１１で構成されている。
【００３８】
光電センサー１０によって使用者を感知した信号は信号線（▲３▼）１０Ａによって弁制御装置７に伝えられ、弁制御装置７はその信号の状態から使用者の動作を想定し、電磁開閉弁５に適当な開閉信号を、信号線（▲５▼）７Ａを介して伝える。この信号により電磁開閉弁５が開き、便器の洗浄が行われる。また、弁制御装置７は電磁開閉弁５に信号を送ると同時に電気印加制御装置８にも信号線（▲４▼）１１を介して同様の信号を伝える。電気印加制御装置８はその信号の状態から電磁開閉弁５の動作を想定し、電極ボックス６に適当な電気印加信号信号線（▲６▼）８Ａを介して伝える。この信号により電極ボックス６は電気を印加し、洗浄水流路を流れる水は電解処理され、便器は電解水で洗浄される。
【００３９】
図２は流量センサーを用いた尿石抑制装置の概略構成図を示す。図１の定流量弁４を流量センサー１２に替えるとともに、電気印加制御装置８との間を信号線（▲１▼）８Ｂで接続した。定流量弁の場合、流入する洗浄水の圧力や開閉弁の開度によらず略一定流量であるため、電気印加制御装置８の機構が簡略化できる。これに対して定流量弁を流量センサーに替えることによって、洗浄水の流量に合わせてきめ細かに電気印加量を制御することが可能となる。ここでいう流量センサーには、羽根車式、差圧式、電磁誘導式、超音波式、質量式、渦式等の原理を利用したものがある。また、この場合、信号線（▲１▼）８Ｂを通じて流量センサー１２の信号が電気印加制御装置８に伝えられる。これにより電気印加制御装置８は電磁開閉弁５の動作を想定できるため、信号線（▲４▼）１１を省略することもできる。このため、これは既設の自動洗浄装置に対して交換部品を少なく押さえながら尿石抑制装置を後付けする際に有効な手段となる。
【００４０】
図３は電磁開閉弁と電気印加制御装置を信号線で接続した図を示す。図２の流量センサー１２を省略し、電磁開閉弁５と電気印加制御装置８を信号線（▲２▼）８Ｃで接続する。この場合、信号線（▲２▼）８Ｃを通じて電磁開閉弁５の信号が電気印加制御装置８に伝えられる。これにより電気印加制御装置８は電磁開閉弁５の動作を想定できるため、信号線（▲４▼）１１を省略することもできる。このため、これは既設の自動洗浄装置に対して交換部品を少なく押さえながら尿石抑制装置を後付けする際に有効な手段となる。
【００４１】
また、電磁開閉弁５に図示しない動作検知センサーを取付け、この動作検知センサーと電気印加制御装置８を図示しない信号線で接続する。電磁開閉弁５からの信号線を取り出すことが困難な場合、この方法により電磁開閉弁５と電気印加制御装置８を信号線（▲２▼）８Ｃで接続した場合と同様の効果を得ることができる。
【００４２】
図３に既設の手動洗浄装置への本発明の後付図を示す。既設の手動式洗浄装置は本体１４と逆流防止機能も併せ持つ止水栓部１５と主弁体部１６と主弁体部上部ふた１７と操作押しボタン部１８と洗浄水導管１９の部分で構成されている。これに対して後付式尿石抑制装置１３は、洗浄水導管部を切断し、両側から挟み込むようにして取り付ける。後付式尿石抑制装置１３は内部の洗浄水流路に対の電極６と羽根車式の流量センサー１２を持ち、外形ケースと一体に取り付けられた電気印加制御装置９と乾電池ボックス９を備えている。
【００４３】
使用者が便器使用後操作押しボタン部１８を押すと洗浄水が流れ、流量センサー１２により電気印加制御装置９が洗浄を感知し、電極６に電気を流すことによって便器は電解水によって洗浄される。この場合は流量センサーによって押しボタンが押されたことを感知しているが、押しボタンに近接センサーを取付けこの代わりに用いることもできる。また、この電極６に銀等の抗菌性のイオンを生成する材料を用いる他場合、電極の面積は１ｃｍ2程でも実用域であり、電極の小型化、さらに装置全体の小型化が可能になっている。
【００４４】
この小型化のため、電極は既設の手動洗浄装置の本体１４の開口部にはすべて取り付けることができる。具体的には図３で図示した例の他に給水本管とつなぐねじ部２０にねじ込んで取り付ける方法、止水栓部１５を部品交換する形で取り付ける方法、主弁体部１６を電極と主弁体部の一体化した部品と交換する方法、操作押しボタン部１８より挿入する方法がある。
【００４５】
図４は既設の手動洗浄装置を光電センサー式自動洗浄装置に替えるとともに電解水洗浄機能を付加した装置２２の１例を示す。光電センサー１０により使用者を感知し、乾電池ボックス９の電気を用いて電気印加制御装置８は電磁開閉弁２３を開くとともに電極６に電気を印加する。電磁開閉弁２３は主弁体部の上部と押しボタン操作部の間をつなぐ作動接続管２４を開くことで主弁体部のフラッシュ動作を発生させている。これにより電解洗浄水をセンサー感知で自動洗浄することができる。
【００４６】
図５〜図９にはその他の便器バルブへの後付設置例を示す。
図５はハイタンクに取り付けた場合で、それぞれ図５（ａ）は洗浄水導管に取り付ける場合を示す。これは前出の手動洗浄装置と同様の構造である。図５（ｂ）はタンク水面付近に取り付ける場合を示す。給水口からタンクへは時間当たり略定量の水が注がれており、ある高さまで溜まると自己サイホンを起こし洗浄水として流れ出す構造である。このため、水面は絶えず上下しており電気印加制御装置８は電極６が水中にあるときのみ印可するよう制御される。このタイプのより好ましい方法としてはタンクを２重にし内側にタンクに電極を入れ、内側にタンクから溢れ出た分が本来のタンクである外側のタンクに溜まる方法がある。こうすると、水面の高さは常に一定になり、電気印加制御装置８が簡略化できる。図５（ｃ）はタンク中に水没させる場合を示す。この場合も自己サイホンによる水面の上下に左右されず電解ができ、投げ込み式も可能なため、取付構造も簡略化できる。
【００４７】
図６は露出式の自動フラッシュバルブに取り付ける場合を示す。この場合前出の手動洗浄装置と同様の構造のほかにケースを大きくし、ケース内にすべてを組み入れる方法がある。こうすることによって電源の共有やコネクターの接続部の隠蔽が行え、意匠性が高まる。
【００４８】
図７は埋込式の自動フラッシュバルブに取り付ける場合を示す。この場合前出の手動洗浄装置と同様の構造である。しかし、電極が小さくできることから自動フラッシュバルブの制御装置との一体化により最小の寸法差で実現することも可能である。
【００４９】
図８は自動フラッシュバルブ一体型便器に取り付ける場合を示す。埋込式の自動フラッシュバルブに取り付ける場合と同様であるが、便器に一体のため、壁への加工が不用になり施工性が非常に良くなる形態である。
【００５０】
図９はユニット式便器に取り付ける場合を示す。この場合ユニットの中に機能部分をすべて収められるため、見た目にはまったく変わらず取付けることができる。
【００５１】
【発明の効果】
本発明は上記構成により以下の効果を発揮する。
本発明によってメンテナンスが不要でランニングコストがほとんど発生せず、コンパクトで、新設に限らず、既設の便器洗浄装置にも取り付けることのできる尿石抑制装置が提供できる。
【図面の簡単な説明】
【図１】本発明による尿石抑制装置の概略構成図
【図２】流量センサーを用いた尿石抑制装置の概略構成図
【図３】電磁開閉弁と電気印加制御装置を信号線で接続した図
【図４】既設の手動洗浄装置への本発明の後付図
【図５】既設の手動洗浄装置を光電センサー式自動洗浄装置に替えるとともに電解水洗浄機能を付加した装置
【図６】ハイタンクへの取付図
【図７】露出式の自動フラッシュバルブへの取付図
【図８】埋込式の自動フラッシュバルブへの取付図
【図９】自動フラッシュバルブ一体型便器への取付図
【図１０】ユニット式便器への取付図
【符号の説明】
１・・・尿石抑制装置、１Ａ・・・洗浄水流路系の要素群、１Ｂ電気制御系の要素群、２・・・止水栓、３・・・逆流防止弁、４・・・定流量弁、５・・・電磁開閉弁、６・・・電極ボックス、７・・・弁制御装置、７A・・・信号線（▲５▼）、８・・・電気印加制御装置、８A・・・信号線（▲６▼）、８Ｂ・・・信号線（▲１▼）、８Ｃ・・・信号線（▲２▼）、９・・・電源、１０・・・光電センサー、１０A・・・信号線（▲３▼）、１１・・・信号線（▲４▼）、１２・・・流量センサー、１３・・・後付尿石抑制装置、１４・・・手動洗浄装置本体、１５・・・止水栓部、１６・・・主弁体部、１７・・・主弁体部上部ふた、１８・・・操作押しボタン部、１９・・・洗浄水導管部、２０・・・給水本管接続部、２１・・・洗浄水導管接続部、２２・・・光電センサー式自動洗浄装置に替えるとともに電解水洗浄機能を付加した装置、２３・・・電磁開閉弁、２４・・・作動接続管
【図１】
0004055325.tif 000002
【図２】
0004055325.tif 000003
【図３】
0004055325.tif 000004
【図４】
0004055325.tif 000005
【図５】
0004055325.tif 000006
【図６】
0004055325.tif 000007
【図７】
0004055325.tif 000008
【図８】
0004055325.tif 000009
【図９】
0004055325.tif 000010
【図１０】
0004055325.tif 000011